(57)【要約】  【課題】レイアウトの自由度を向上させるとともに、容易にレイアウトの変更を行うことのできる収納家具を提供する。  【解決手段】上壁Ｕ及び下壁Ｄによって上下を区成された空間を上下方向と直交する方向に縦仕切２を取り付ける構造を示すものであって、下壁Ｄに穿孔したハーフパンチｈｐの箇所に円柱状突起２２を嵌め合わせるとともに、固定片２１を上壁Ｕに固定することにより縦仕切２を取り付ける。  【選択図】図５
2005124746.tif 000002
【特許請求の範囲】
【請求項１】
上壁及び下壁によって上下を区成された空間を上下方向と直交する方向に仕切る縦仕切を取り付ける構造であって、
下壁に穿孔した穴を有するとともに上壁がその下面側に桟を有し、
縦仕切が、下端に突起を有するとともに上端に固定片を有するものであり、
下壁に穿孔した穴に突起を嵌め合わせるとともに、前記桟に固定片を固定することにより縦仕切を取り付けることを特徴とする縦仕切の取付構造。
【請求項２】
頂板、棚板及び底板によって上下方向に区成された収納空間に縦仕切を取り付ける構造であって、
頂板又は棚板が前記上壁をなすとともに棚板又は底板が前記下壁をなし、下壁に穿孔した穴に突起を嵌め合わせるとともに、上壁に設けられた桟に固定片を固定することにより縦仕切を取り付けるものである請求項１に記載の縦仕切の取付構造。
【請求項３】
縦仕切が下端に２つの突起を有し、上端に１つの固定片を有するものである請求項１又は２に記載の縦仕切の取付構造。
【請求項４】
下壁に穿孔した穴がハーフパンチにより形成されたものである請求項１〜３のいずれかに記載の縦仕切の取付構造。
【請求項５】
縦仕切に設けられた固定片を前記桟に設けられた固定箇所に固定することにより縦仕切を取り付けるものである請求項１〜４のいずれかに記載の縦仕切の取付構造。
【請求項６】
前記穴及び前記固定箇所が幅方向に複数箇所設けられているものである請求項５に記載の縦仕切の取付構造。
【請求項７】
前記穴及び前記固定箇所が収納空間を幅方向に２等分割及び３等分割可能な位置に設けられているものである請求項６に記載の縦仕切の取付構造。
【発明の詳細な説明】
【技術分野】
【０００１】
本発明は、収納空間に縦仕切を取り付ける構造に関するものである。
【背景技術】
【０００２】
従来より棚等の収納家具においては、棚板の位置を適宜変更することにより、収納空間を水平方向に適宜仕切ることのできる態様のものが主流である。
【０００３】
また、特許文献１のように、棚板により区成された収納空間を幅方向に仕切る縦仕切を設けることのできる棚が考えられている。
【特許文献１】特開２０００−１２５９５５号公報
【発明の開示】
【発明が解決しようとする課題】
【０００４】
しかしながら、近年のオフィスの形態の多様化に伴い、棚等の収納家具においてもそれに応じるように収納空間のレイアウトを容易且つ多様に変更しうる収納家具が求められている。そのような要望がある中で、従来のように、棚板を具備する収納家具における棚板の位置選択によるレイアウト変更では、上記要望に十分に対応しているとは言い難い。
【０００５】
特許文献１に記載の棚であれば、収納空間のレイアウトを従来の棚よりも若干多様に変更できるものとなっているが、その構造上、縦仕切を取り付ける際には棚板をはずさなければならないため、使用者はレイアウトを変更するたびに常に棚板と縦仕切の取り外しを行わなければならない。
【０００６】
そこで、本発明の所期の目的とするところは収納空間のレイアウトの自由度を向上させるとともに、レイアウトの変更を容易に行うことのできる縦仕切の取付構造を提供することにある。
【課題を解決するための手段】
【０００７】
上記課題を解決するためになされた本発明は、上壁及び下壁によって上下を区成された空間を上下方向と直交する方向に仕切る縦仕切を取り付ける構造であって、下壁に穿孔した穴を有するとともに上壁がその下面側に桟を有し、縦仕切が下端に突起を有するとともに上端に固定片を有するものであり、下壁に穿孔した穴に突起を嵌め合わせるとともに、上壁に固定片を固定することにより縦仕切を取り付けることを特徴とする。
【０００８】
このようなものであれば、上下を区成された空間に縦仕切を後付けにより簡単に取り付けることが可能であるとともに、空間をＨ型、Ｔ型或いはＩ型など、様々な態様に仕切ることができる。
【０００９】
上記本発明の具体的な構成として、頂板、棚板及び底板によって上下方向に区成された収納空間に縦仕切を取り付ける構造であって、頂板又は棚板が前記上壁をなすとともに棚板又は底板が前記下壁をなし、下壁に穿孔した穴に突起を嵌め合わせるとともに、上壁に設けられた桟に固定片を固定することにより縦仕切を取り付けるものが挙げられる。このようなものであれば、頂板、棚板及び底板によって予め上下を区成された収納空間に縦仕切を後付により簡単に取り付けることができる。そのため、収納空間のレイアウトを容易に変更することができるとともに収納空間のレイアウトの自由度を向上させることができる。
【００１０】
また、本発明に係る縦仕切の取付構造は、縦仕切が下端に２つの突起を有し、上端に１つの固定片を有するものであることが望ましい。このようなものであれば、上端及び下端において計３点で縦仕切を固定することができるため、縦仕切を安定して設置することができる。
【００１１】
さらに、本発明に係る縦仕切の取付構造は、下壁に穿孔した穴がハーフパンチにより形成されたものであることが望ましい。このようなものであれば、縦仕切を使用する際にハーフパンチの部分に突起を押し当てることにより穴を開ければよく、縦仕切を取付しない箇所のハーフパンチはそのままにしておけばその箇所が目立つこともなく棚板又は底板の外観を損なうこともない。そして、縦仕切の上端を確実に固定するためには、縦仕切に設けられた固定片を前記桟に設けられた固定箇所に固定することにより縦仕切を取り付ける構造とすることが好ましい。
【００１２】
縦仕切の取付箇所に選択の幅を持たせるためには、前記穴及び前記固定箇所が幅方向に複数箇所設けるものであることが望ましく、縦仕切の取付位置を変更しても縦仕切に取り付ける棚板を共通して使用できるようにするためには、前記穴及び前記固定箇所が収納空間を幅方向に２等分割及び３等分割可能な位置に設ければよい。
【発明の効果】
【００１３】
以上説明したように本発明によれば、縦仕切及び棚板を選択可能に取り付けることにより収納空間のレイアウトの自由度を向上させることができる。加えて、棚板の取り外しを行うことなく縦仕切の取り外しが行えるため、容易にレイアウトの変更を行うことができるようになる。
【発明を実施するための最良の形態】
【００１４】
以下、本発明の一実施形態について図面を参照して説明する。
【００１５】
本実施形態に係る収納家具１は、図１に示すように前面に開放された収納空間Ｓを有する収納家具本体１０と、該収納空間Ｓを上下方向に仕切る棚板Ｐと、収納空間Ｓを幅方向に仕切る縦仕切２とを具備しており、これら棚板Ｐ及び縦仕切２を用いて収納空間Ｓを上下方向・幅方向に区成するものである。本実施形態において収納家具本体１０、棚板Ｐ及び縦仕切２はそれぞれ金属板を折り曲げ加工等することにより作成されている。
【００１６】
収納家具本体１０は、上側に位置する頂板１１、下側に位置する底板１２及び両側に起立している１対の側板１３、１４及び収納家具１の後方を閉鎖する背板１５により構成されている。
【００１７】
収納空間Ｓの上端に位置する頂板１１は、その両側端が１対の側板１３、１４に、後端が背板１５にそれぞれ接続されている。頂板１１の上面は、図１のように平板状の化粧面として意匠的要素を担っているとともに、下面は図５のように金属板を適宜屈曲させて、幅方向に延びる直方体状の桟ｕを前記上側面とともに形成することにより、頂板１１全体のたわみ強度を向上させている。下面には、収納空間Ｓを幅方向に２等分する箇所と３等分する箇所に、後述する縦仕切２、２０を接続させるための固定箇所としてねじ孔Ｎを設けることにより、本発明における上壁Ｕの役割を果たしている。
【００１８】
収納空間Ｓの下端に位置する底板１２は、その両側端から１対の側板１３、１４が起立するとともに、後端が背板１５に接続されている。また、底板１２の上面には収納空間Ｓを幅方向に２等分する箇所と３等分する箇所に、円形状のハーフパンチｈｐを前端付近及び後端付近の２箇所にそれぞれ設けることにより、本発明における下壁Ｄの役割を果たしている。
【００１９】
１対の側板１３、１４は上端を頂板１１に、下端を底板１２に、後端を背板１５にそれぞれ接続した状態で左右略対称に起立しており、側板１３、１４の外側面はそれぞれ平板状の化粧面として意匠的要素を担っているとともに、収納空間Ｓに臨む内側面には、それぞれ棚板Ｐを取り付けるための棚取付孔ｈが設けられている。
【００２０】
棚取付孔ｈは、側板１３、１４の内側の立面に、同じ高さにおいて該立面の奥方と前方に２箇所ずつ設けられた前後方向に延びるスリット状の孔であり、該孔の両端は半円状に処理されている。この棚取付孔ｈは前記内側の立面の上端付近から下端付近に亘り所定ピッチで配列している。なお、本実施形態において、ピッチ幅は２３．４ｍｍに設定されており、棚取付孔ｈの位置は両側板１３、１４において位相が等しくなるよう設定されている。
【００２１】
背板１５は前記頂板１１、底板１２及び１対の側板１３、１４の後端と接続することにより収納空間Ｓの背面を閉鎖するとともに収納家具１全体の強度を向上させる役割を果たしている。
【００２２】
本実施形態に係る収納家具１は、図１に示すように、１対の側板１３、１４の内側の立面間に架設することにより収納空間Ｓの全幅を仕切る棚板Ｐを設けることができる他に、図２に示すように、１対の側板１３、１４のいずれかと後述する縦仕切２０との間に架設することにより、その間に区成された収納空間Ｓを仕切る棚板Ｐ１、Ｐ２、Ｐ３を設けることができるようにしている。
【００２３】
収納空間Ｓの全幅を仕切る棚板Ｐは、上面には前述した底板１２と同じく、空間を幅方向に２等分する箇所と３等分する箇所に、円形状のハーフパンチｈｐが前後２箇所にそれぞれ設けられている。下面は金属板を適宜屈曲させることにより幅方向に延びる直方体状の桟ｕを前記上面とともに形成することにより、たわみ強度を向上させているとともに、ハーフパンチｈｐが設けられた箇所に対応している下面には、後述する縦仕切２を接続させるためのねじ孔Ｎが設けられている。つまり、本実施形態における棚板Ｐは、本発明における上壁Ｕの役割と、下壁Ｄの役割を併せて果たすことができるものである。
【００２４】
側板１３、１４と後述する縦仕切２との間に、破線で示した幅寸法違いの棚板Ｐ１、Ｐ３をそれぞれ取り付けることも可能であり、図２では後述する縦仕切２０と側板１３、１４との間に棚板Ｐ２が架設されている。これらの棚板Ｐ１、Ｐ２、Ｐ３は、前述の棚板Ｐのようなハーフパンチｈｐ及びねじ孔Ｎは設けられていないが、その他の基本的な構造は前述の棚板Ｐと同様である。
【００２５】
棚板Ｐ、Ｐ１、Ｐ２及びＰ３を棚取付孔ｈに取り付ける態様として、図３（Ａ）に示す、金属製の板材である棚爪Ｑを用い、図３（Ｂ）のようにその上部ｑ１を棚取付孔ｈに挿入し、その際に棚取付孔ｈより水平方向に突出する下部ｑ２の箇所に、図３（Ｃ）に示す棚板（図においては棚板Ｐ３）の側縁に設けた切込ｐの箇所を合わせて棚板Ｐ３を載置するものとしている。
【００２６】
以上のような収納家具１に対して、本実施形態は収納空間Ｓを幅方向に仕切るための縦仕切２、２０を下記の構造によって後づけて取り付けることを可能にしている。縦仕切２は、棚板Ｐにより上下方向に３等分された収納空間Ｓを幅方向に仕切るために配置されるものであり（図１）、縦仕切２０は、収納空間Ｓの頂板１１から底板１２までの全丈を幅方向に仕切るために配置されるものである（図２）。
【００２７】
縦仕切２は、図４に示すように上端に固定片２１が取り付けられているとともに、下端に前端付近及び後端付近に２つの円柱状突起２２が設けられている。固定片２１は金属板を直角に屈曲させたもので、基部２１１が縦仕切２の上端部分前方側に溶接により固着されるとともに、該基部２１１より固定部２１２が垂直に立ち上っている。固定部２１２は縦仕切２の立面に直交する板状のもので、その固定部２１２には桟ｕに設けられたねじ孔Ｎに固定できるよう、ねじ挿通孔２１３が設けられている。縦仕切２の両側面には、側板１３、１４同様の棚取付孔ｈが２３．４ｍｍピッチで設けられている。図２に示した縦仕切２０は、縦仕切２と同じく固定片２１、円柱状突起２２及び棚取付孔ｈを有するが（図示せず）、縦寸法が収納空間Ｓの全丈に対応したものである。縦仕切２、２０に設けられた棚取付孔ｈは、収納空間Ｓに取り付けた際に対向する立面に設けられた棚取付孔ｈと位相が等しくなるように位置が設定されている。
【００２８】
次に、縦仕切２を、上壁Ｕ及び下壁Ｄによって上下を区成された収納空間Ｓに取り付ける態様について、図５及び図６の模式的な側面図を基に説明する。下壁Ｄの前端付近と後端付近に位置する２つのハーフパンチｈｐを予め手近な工具等を使って打ち抜き、しかる後、その打ち抜いた穴に円柱状突起２２を図６（Ａ）に示すように斜め方向から挿入することにより下壁Ｄ側に対して縦仕切２の位置決めを行う。その状態から縦仕切２を垂直に起こして固定部２１２に設けられたねじ挿通孔２１３を桟ｕに設けられたねじ孔Ｎに合致させ、しかる後、ねじ挿通孔２１３及びねじ孔Ｎを利用してねじＢにより固定することによって、上壁Ｕへの位置決め固定を行なう。そうすることにより縦仕切２は下壁Ｄには２箇所において位置決めがなされることにより１箇所を支点に旋回すること等が禁止されるとともに、上壁Ｕの１箇所において位置決めがなされることにより起立状態が維持され、計３箇所で縦仕切２は上壁Ｕ及び下壁Ｄ間に簡単、確実に固定される。
【００２９】
次に、本実施形態に係る収納家具１において構成される収納空間Ｓのレイアウトパターンについて説明する。
【００３０】
本実施形態に係る収納家具１は、図７及び図８に示すように、先ず棚板Ｐを架設し、さらに縦仕切２を取り付けることにより収納空間Ｓを区成したレイアウトを構成することができる。従来における縦方向の仕切（特許文献１）とは異なり、縦仕切２は棚板Ｐを設置した後から取付・取り外しをすることが可能であるため（図６）、棚板Ｐを設置した後に縦仕切２の位置を移動させながら所望のレイアウトを構築していくことが可能となる。
【００３１】
一方、図９及び図１０に示すように、先ず全丈の縦仕切２０を取り付け、さらに棚板Ｐ１、Ｐ２或いはＰ３を架設することにより収納空間Ｓを区成したレイアウトを構成することも可能である。縦仕切２０は収納空間Ｓを２等分する位置と、３等分する位置に選択可能に設置することができるとともに、側板１３、１４及び縦仕切２０に設けられた棚取付孔ｈを利用して、棚板Ｐ１、Ｐ２或いはＰ３を適宜取り付けることができる。棚取付孔ｈは所定ピッチでそれぞれが位相を等しくして設けられているため、所望の高さに応じた棚取付孔ｈを利用して棚板Ｐ１、Ｐ２或いはＰ３を取り付けることができる。
【００３２】
勿論、本実施形態に係る収納家具１は図に示したレイアウトに限定されるものではなく、縦仕切２、２０及び棚板Ｐ、Ｐ１、Ｐ２、Ｐ３の取付位置を適宜変更することにより幾通りものレイアウトを構成することが可能である。
【００３３】
このように、本実施形態に係る縦仕切２、２０を取り付ける構造によれば、上下を区成された空間に縦仕切２、２０を上壁Ｕや下壁Ｄを取り外すことなく、後付けにより簡単に取り付けることが可能であるとともに、棚板Ｐ、Ｐ１、Ｐ２或いはＰ３を併用して用いることにより、収納空間ＳをＨ型、Ｔ型或いはＩ型など、様々な態様に仕切ることができる。
【００３４】
具体的に説明すると、上記本実施形態は、頂板１１、棚板Ｐ及び底板１２によって上下方向に区成された収納空間Ｓに縦仕切２、２０を取り付ける構造を示し、その構造とは、頂板１１又は棚板Ｐが前記上壁Ｕをなすとともに棚板Ｐ又は底板１２が下壁Ｄをなし、下壁Ｄに穿孔したハーフパンチｈｐに円柱状突起２２を嵌め合わせるとともに、上壁Ｕに設けられた桟ｕに固定片２１を固定することにより縦仕切２を取り付けるものである。このようなものであれば、頂板１１、棚板Ｐ及び底板１２によって予め上下を区成された収納空間Ｓに縦仕切２を後付により簡単に取り付けることができる。そのため、収納空間Ｓのレイアウトを容易に変更することができ、収納空間Ｓのレイアウトの自由度を向上させることができる。
【００３５】
また、本実施形態に係る縦仕切２、２０は、縦仕切２が下端に２つの突起たる円柱状突起２２を有し、上端に１つの固定片２１を有しているので、上端及び下端において計３点で縦仕切２、２０を固定することができ、縦仕切２、２０を安定して設置することができる。円柱状突起２２は縦仕切２、２０の前端付近及び後端付近に設けられているため、縦仕切２、２０を前端から後端に亘って確実に固定することができる。
【００３６】
さらに、本実施形態に示した縦仕切２、２０の取付構造は、下壁Ｄたる底板１２又は棚板Ｐに穿孔した穴としてハーフパンチｈｐを形成している。そうすることにより、縦仕切２、２０を取り付ける際、下壁Ｄの取付箇所に係るハーフパンチｈｐをハンマー等で軽く打ち抜くことにより穴を開ければよい。縦仕切２、２０を取り付けない箇所のハーフパンチｈｐはそのままにしておけばその箇所が目立つこともなく、棚板Ｐ又は底板１２の外観を損なうこともない。また、縦仕切２、２０に設けられた固定片２１を、前記桟ｕに設けられた所定の固定箇所として設けたねじ孔ＮにねじＢ等により固定することにより縦仕切２、２０を取り付けているため、縦仕切２、２０の上端を簡単、確実に固定することができる。
【００３７】
縦仕切２、２０の取付箇所に選択の幅を持たせるために、前記穴及び前記固定箇所として設けたねじ孔Ｎが幅方向に複数箇所設けられている。詳細には、縦仕切２、２０の取付位置を変更しても棚板Ｐ１、Ｐ２或いはＰ３や、場合によってはトレーなどのオプション部材を共通して使用できるようにするために、前記穴及び前記固定箇所が収納空間Ｓを幅方向に２等分割及び３等分割可能な位置に設けている。そうすることにより、本実施形態に係る収納家具１は、収納空間Ｓのレイアウトを多様化させることができる。
【００３８】
なお、本発明は上記実施形態に限定されるものではない、例えば、上記実施形態において縦仕切は２種類の決められた長さを有するものであったが、例えば収納空間の有効高さの２分の１や３分の２の寸法に対応したものも使用することが可能である。このようなものを加えればさらに多くのレイアウトパターンを実現することができる。勿論、収納空間の有効高さ寸法の４分の１単位、５分の１単位で縦仕切の寸法を設定したものであってもよく、それに合わせて縦仕切の取付可能な位置が収納空間を幅方向に４等分、５等分できるよう、ハーフパンチ及び固定箇所を適宜設定したものであってもよい。
【００３９】
さらに、縦仕切の構成に別途改良を加えることにより、縦仕切同士を継ぎ足し可能なものや、伸縮可能なものとすることにより長さ寸法を調節可能にしたものであってもよく、このようなものを用いれば、さらに多くのレイアウトパターンを実現することを可能とする。
【００４０】
その他、各部の具体的構成についても上記実施形態に限られるものではなく、本発明の趣旨を逸脱しない範囲で種々変形が可能である。
【図面の簡単な説明】
【００４１】
【図１】本発明の実施形態に係る収納家具を示す斜視図。
【図２】同実施形態に係る収納家具を他のレイアウトパターンにおいて示す斜視図。
【図３】同実施形態に係る棚板の取付態様を示す図。
【図４】同実施形態に係る縦仕切を示す斜視図。
【図５】同実施形態に係る縦仕切の取り付け手順を示す模式的な側面図。
【図６】同実施形態に係る縦仕切の取り付け手順を示す模式的な正面図。
【図７】同実施形態に係る収納家具のレイアウトパターンを示す模式図。
【図８】同実施形態に係る収納家具のレイアウトパターンを示す図。
【図９】同実施形態に係る収納家具のレイアウトパターンを示す図。
【図１０】同実施形態に係る収納家具のレイアウトパターンを示す図。
【符号の説明】
【００４２】
１…収納家具
２、２０…縦仕切
１０…収納家具本体
１１…頂板
１２…底板
１３、１４…側板
２１…固定片
２２…突起（円柱状突起）
Ｓ…収納空間
Ｐ、Ｐ１、Ｐ２、Ｐ３…棚板
Ｕ…上壁
Ｄ…下壁
ｈ…棚取付孔
ｈｐ…穴（ハーフパンチ）
【図１】
2005124746.tif 000003
【図２】
2005124746.tif 000004
【図３】
2005124746.tif 000005
【図４】
2005124746.tif 000006
【図５】
2005124746.tif 000007
【図６】
2005124746.tif 000008
【図７】
2005124746.tif 000009
【図８】
2005124746.tif 000010
【図９】
2005124746.tif 000011
【図１０】
2005124746.tif 000012